(57)【特許請求の範囲】
【請求項１】
外壁に係止部が設けられたフード部を有する相手コネクタの該フード部に挿入方向前端部分が挿抜されるハウジングと、
前記フード部を囲う内径を有する筒状であり、前記ハウジングを取り巻いて該ハウジングに対し挿抜される前後方向に該ハウジングに移動自在に保持された筒状体と、
前記筒状体よりも後方に配置され、該筒状体の後方への移動を阻止する阻止位置と該筒状体の移動阻止を解除する阻止解除位置との間で変位自在に前記ハウジングに保持された移動阻止部材と、
前記ハウジングと前記筒状体との間に延在し、該ハウジングが前記フード部に挿入されたときに前端部分が前記係止部と係合する係合腕とを備え、
前記筒状体が、前記係合腕の前端部分の前方に対面し、該筒状体が後方に移動したときに前記係合腕と干渉して該係止腕の前記係止部との係合を解除する係合解除部を有するものであることを特徴とする電気コネクタ。
【請求項２】
前記移動阻止部材が、前記阻止位置にあるときに前記筒状体に突き当たるカム面を有し、該ハウジングの回りに、該阻止位置と、前記カム面が前記筒状体から離れた阻止解除位置との間で回転する環状の部材であることを特徴とする請求項１記載の電気コネクタ。
【請求項３】
前記移動阻止部材が、前記ハウジングに対し起倒自在に保持され、倒れた状態で前記筒状体に突き当たる部材であって、倒れた状態からなる阻止位置と起こされた状態からなる阻止解除位置との間で変位するものであることを特徴とする請求項１記載の電気コネクタ。
【請求項４】
前記移動阻止部材が、前記阻止位置にあるときに前記筒状体に突き当たるカム面を有し、前記ハウジングを挟んだ状態で前記挿入方向とは垂直な方向に該阻止位置と、前記カム面が前記筒状体から離れた阻止解除位置との間で移動するＵ字状の部材であることを特徴とする請求項１記載の電気コネクタ。
【請求項５】
相手コネクタ、および、この相手コネクタと嵌合した電気コネクタからなるコネクタ組立体であって、
前記相手コネクタは、外壁に係止部が設けられたフード部を備え、
前記電気コネクタは、
前記相手コネクタの該フード部に挿入方向前端部分が挿抜されたハウジングと、
前記フード部を囲う内径を有する筒状であり、前記ハウジングを取り巻いて該ハウジングに対し挿抜された前後方向に該ハウジングに移動自在に保持された筒状体と、
前記筒状体よりも後方に配置され、該筒状体の後方への移動を阻止する阻止位置と該筒状体の移動阻止を解除する阻止解除位置との間で変位自在に前記ハウジングに保持された移動阻止部材と、
前記ハウジングと前記筒状体との間に延在し、該ハウジングが前記フード部に挿入されたときに前端部分が前記係止部と係合する係合腕とを備え、
前記筒状体が、前記係合腕の前端部分の前方に対面し、該筒状体が後方に移動したときに前記係合腕と干渉して該係止腕の前記係止部との係合を解除する係合解除部を有するものであることを特徴とするコネクタ組立体。
【発明の詳細な説明】
【技術分野】
【０００１】
本発明は、電気コネクタ、およびこの電気コネクタと嵌合する相手コネクタとからなるコネクタ組立体に関する。
【背景技術】
【０００２】
電気コネクタとして、相手コネクタからの抜止め機能を有するタイプのものが広く知られている。
【０００３】
例えば、特許文献１には、相手コネクタの雄ねじにねじ込まれるナットの代わりとしてのロック用リングを有する電気コネクタが示されている。ロック用リングには可撓性を有する複数の突出部が設けられている。突出部は、ロック用リングの前端側外周に設けられた結合リングによってリングの中心に向かって押し付けられており、２つのコネクタが嵌合した状態で相手コネクタの雄ねじと係合する。結合リングだけが電気コネクタの離脱方向に引き戻されると突出部の押付けが解除され、コネクタが離脱可能となる。
【特許文献１】特開２００１−２１４９９３号公報
【発明の開示】
【発明が解決しようとする課題】
【０００４】
しかしながら、特許文献１に示された電気コネクタでは、操作者がこの電気コネクタを相手コネクタから離脱させる場合には、例えば一方の手で結合リングを引き戻した状態に保持するとともに、他方の手で電気コネクタを持ち着脱方向に動かす必要がある。このため、実際にコネクタを離脱させるためにはコネクタに両手を添える必要があり、作業性が低下する。また、電気コネクタと相手コネクタとが嵌合している状態では、振動を受けたり、結合リングに物が誤って接触したりすると係合が外れ、コネクタが離脱してしまう場合がある。
【０００５】
本発明は、上記事情に鑑み、片手でも操作でき、かつ不用意な離脱が抑えられた電気コネクタおよびコネクタ組立体を提供することを目的とする。
【課題を解決するための手段】
【０００６】
上記目的を達成する本発明の電気コネクタは、外壁に係止部が設けられたフード部を有する相手コネクタの該フード部に挿入方向前端部分が挿抜されるハウジングと、
前記フード部を囲う内径を有する筒状であり、前記ハウジングを取り巻いて該ハウジングに対し挿抜される前後方向に該ハウジングに移動自在に保持された筒状体と、
前記筒状体よりも後方に配置され、該筒状体の後方への移動を阻止する阻止位置と該筒状体の移動阻止を解除する阻止解除位置との間で変位自在に前記ハウジングに保持された移動阻止部材と、
前記ハウジングと前記筒状体との間に延在し、該ハウジングが前記フード部に挿入されたときに前端部分が前記係止部と係合する係合腕とを備え、
前記筒状体が、前記係合腕の前端部分の前方に対面し、該筒状体が後方に移動したときに前記係合腕と干渉して該係止腕の前記係止部との係合を解除する係合解除部を有するものであることを特徴とする。
【０００７】
本発明の電気コネクタでは、係合腕が相手コネクタのフード部の外壁に設けられた係止部と係合することによって相手コネクタから抜止めされ、筒状体が後方に移動したときには係合解除部が係止腕の前記係止部との係合が解除される。移動阻止部材が阻止位置に変位と筒状体の移動が阻止される。したがって、電気コネクタは、移動阻止部材を阻止位置に変位させることにより、筒状体に外力が加わっても相手コネクタから離脱しない。そして、移動阻止部材が阻止解除位置に変位した状態では、筒状体を後方に移動するだけで、抜止めの解除と相手コネクタからの離脱が行われる。よって、離脱の操作性が向上し、かつ不用意な離脱が抑えられる。
【０００８】
ここで、上記本発明の電気コネクタにおいて、上記移動阻止部材が、前記阻止位置にあるときに前記筒状体に突き当たるカム面を有し、該ハウジングの回りに、該阻止位置と、前記カム面が前記筒状体から離れた阻止解除位置との間で回転する環状の部材であることが好ましい。
【０００９】
移動阻止部材がハウジングの回りに回転する環状の部材である場合には、操作が容易であり、しかも回転前後で前後方向の位置が変化しないため移動阻止部材が他の物に接触するおそれが低減する。また、移動阻止部材の回転方向が筒状体の挿抜方向と異なるため、不用意な離脱のおそれがさらに低減する。
【００１０】
また、上記本発明の電気コネクタにおいて、上記移動阻止部材が、前記ハウジングに対し起倒自在に保持され、倒れた状態で前記筒状体に突き当たる部材であって、倒れた状態からなる阻止位置と起こされた状態からなる阻止解除位置との間で変位するものであることが好ましい。
【００１１】
移動阻止部材が起倒自在に保持された部材の場合には、阻止位置と阻止解除位置とが移動阻止部材自体の起倒によって容易に判別できる。
【００１２】
また、上記本発明の電気コネクタにおいて、上記移動阻止部材が、前記阻止位置にあるときに前記筒状体に突き当たるカム面を有し、前記ハウジングを挟んだ状態で前記挿入方向とは垂直な方向に該阻止位置と、前記カム面が前記筒状体から離れた阻止解除位置との間で移動するＵ字状の部材であってもよい。
【００１３】
また、上記目的を達成する本発明のコネクタ組立体は、
相手コネクタ、および、この相手コネクタと嵌合した電気コネクタからなるコネクタ組立体であって、
前記相手コネクタは、外壁に係止部が設けられたフード部を備え、
前記電気コネクタは、
前記相手コネクタの該フード部に挿入方向前端部分が挿抜されたハウジングと、
前記フード部を囲う内径を有する筒状であり、前記ハウジングを取り巻いて該ハウジングに対し挿抜された前後方向に該ハウジングに移動自在に保持された筒状体と、
前記筒状体よりも後方に配置され、該筒状体の後方への移動を阻止する阻止位置と該筒状体の移動阻止を解除する阻止解除位置との間で変位自在に前記ハウジングに保持された移動阻止部材と、
前記ハウジングと前記筒状体との間に延在し、該ハウジングが前記フード部に挿入されたときに前端部分が前記係止部と係合する係合腕とを備え、
前記筒状体が、前記係合腕の前端部分の前方に対面し、該筒状体が後方に移動したときに前記係合腕と干渉して該係止腕の前記係止部との係合を解除する係合解除部を有するものであることを特徴とする。
【発明の効果】
【００１４】
以上説明したように、本発明によれば、片手でも操作でき、かつ、不用意な離脱が抑えられた電気コネクタおよびコネクタ組立体が実現する。
【発明を実施するための最良の形態】
【００１５】
以下図面を参照して本発明の実施形態について説明する。
【００１６】
図１は、本発明の電気コネクタの第１実施形態であるプラグ型コネクタを示す斜視図であり、図２は、図１に示すプラグ型コネクタを示す断面図である。図１および図２には、相手コネクタとしてのリセプタクル型コネクタ２から離脱した状態のプラグ型コネクタ１がリセプタクル型コネクタ２とともに示されている。また、図３は、図１に示すプラグ型コネクタの各部品を示す分解斜視図である。
【００１７】
図１および図２に示すプラグ型コネクタ１はケーブル端に取り付けられ、リセプタクル型コネクタ２は装置のパネル等に取り付けられて使用される。リセプタクル型コネクタ２が取り付けられる装置としては、例えば、据え置き型の装置だけでなく可動型の装置も想定されるため、リセプタクル型コネクタ２と嵌合するプラグ型コネクタ１には、着脱操作性と外れ難さの両立が求められる。プラグ型コネクタ１およびリセプタクル型コネクタ２は、互いに嵌合することによりコネクタ組立体となる。プラグ型コネクタ１およびリセプタクル型コネクタ２は、それぞれ複数のコンタクトＣ１，Ｃ２（図２参照）を内蔵しており、互いに嵌合することによりコンタクトＣ１，Ｃ２を互いに電気的に接続させる。なお、図２においては、複数のコンタクトＣ１，Ｃ２のうちの１つを図示し、図２の他の図においては、コンタクトおよびコンタクトを保持するハウジングコアの図示を省略している。本実施形態では、プラグ型コネクタ１がリセプタクル型コネクタ２に嵌入する向きを前方Ｆとし、その反対向きを後方Ｂとして説明する。
【００１８】
プラグ型コネクタ１は、いわゆるプッシュプル型のロック機構を備え、リセプタクル型コネクタ２に挿抜されるハウジングとしてのプラグインナーケース５０と、プラグインナーケース５０を取り巻いて前後方向ＦＢに移動自在に設けられた筒状体としてのプラグアウターケース３０と、プラグアウターケース３０の移動を阻止するための移動阻止部材としてのロックリング４０とを有している。リセプタクル型コネクタ２は、このジャック型コネクタ２を装置のパネルに固定するためのフランジ部２１、およびプラグ型コネクタ１のプラグインナーケース５０が挿入されるフード部２２を有している。フード部２２の外壁には係止部としての２つの係止爪２２ａが形成されている。また、リセプタクル型コネクタ２内にはハウジングコアＨ２（図２）が配置されている。ハウジングコアＨ２は複数のコンタクトＣ２を収容している。
【００１９】
プラグ型コネクタ１のプラグインナーケース５０は概略円筒状であり、複数のコンタクトＣ１を収容したハウジングコアＨ１（図２）が内部に取り付けられている。プラグインナーケース５０はハウジングコアＨ１が取り付けられることによって、コンタクトＣ１を収容したハウジングとして機能する。プラグインナーケース５０の前方Ｆ側すなわち挿入方向前端部分には、リセプタクル型コネクタ２のフード部２２に挿入される前端部５１が設けられている。ハウジングコアＨ１（図２）は、プラグインナーケース５０の前端部５１の内部に配置されている。
【００２０】
プラグインナーケース５０には、プラグインナーケース５０の外壁に沿って前方Ｆに延びた２つの係合腕５２，５３が形成されている。係合腕５２，５３は、プラグインナーケース５０とプラグアウターケース３０との間に延在しており、前端部分５２ａ，５３ａには突起が形成されている。係合腕５２，５３の前端部分５２ａ，５３ａは、プラグ型コネクタ１とリセプタクル型コネクタ２とが互いに嵌合した状態で、フード部２２の係止爪２２ａと係合する。係合腕５２，５３が係止爪２２ａと係合することで、プラグ型コネクタ１が抜止めされる。
【００２１】
プラグアウターケース３０は、リセプタクル型コネクタ２のフード部２２を囲う内径を有した概略筒状であり、プラグインナーケース５０を取り巻いて配置されている。プラグ型コネクタ１とリセプタクル型コネクタ２とが嵌合するときには、プラグインナーケース５０とプラグアウターケース３０との間に、リセプタクル型コネクタ２のフード部２２が入り込む。プラグアウターケース３０は、前後方向ＦＢに移動自在にプラグインナーケース５０に保持されており、図２に示す中立位置Ｎと、中立位置Ｎよりも後方Ｂの離脱位置Ｍとの間で移動可能である。プラグアウターケース３０の前端には、内側に折れ曲がって後方Ｂに突出した２つの係合解除部３２，３３が形成されている。係合解除部３２，３３は、係合腕５２，５３の前端部分５２ａ，５３ａの前方Ｆに対面して配置されている。係合解除部３２，３３は、プラグアウターケース３０がスライド操作されて後方Ｂに向かって離脱位置Ｍまで移動すると、係合腕５２，５３と干渉する。プラグ型コネクタ１とリセプタクル型コネクタ２とが互いに嵌合した状態で係合解除部３２，３３が係合腕５２，５３と干渉すると、係合腕５２，５３と係止爪２２ａとの係合が解除される。また、係合解除部３２，３３には斜面が形成されており、プラグアウターケース３０が後方Ｂに移動すると、２つの係合腕５２，５３を互いに引き離す向きに押し広げる。このため、プラグアウターケース３０は、係合腕５２，５３の弾性力によって前方Ｆに押し出され、操作力を受けない状態では中立位置Ｎに戻る。プラグアウターケース３０の後方Ｂへの移動は、ロックリング４０によって規制される。
【００２２】
図４は、図１に示すプラグアウターケースを後方から見た斜視図である。
【００２３】
図４に示すように、プラグアウターケース３０の後端には、後方Ｂに向かって突出した４本のカムピン３５，３６，３７，３８が設けられている。４本のカムピン３５〜３８は、ロックリング４０に突当てられる。
【００２４】
図５は、図１に示すロックリング４０を前から見た図である。図５には、ロックリング４０がプラグインナーケース５０の溝５５の部分の模式的な断面とともに示されている。      
【００２５】
プラグインナーケース５０の回りに回転する環状のロックリング４０は、半円弧状の２つのリング部材４１ａ，４１ｂがプラグインナーケース５０（図３参照）に形成された溝５５に嵌め込まれた状態で組み合わせられて形成されている。ロックリング４０には、ロックリング４０自体の回転角度を規制する切欠き４２ａ，４２ｂ、回転時のクリック感を生じさせるためのクリックアーム４３ａ，４３ｂ、および、プラグアウターケース３０のカムピン３５，３６，３７，３８に対応したカム面４５，４６，４７，４８が設けられている。カム面４５は、図３によりよく示されるように、前寄りの面４５ａ、後寄りの面４５ｃ、および面４５ａと面４５ｃとの間の斜面４５ｃからなる。残りのカム面４６〜４８もカム面４５と同様に３つの面で構成されている。
【００２６】
図５に示すように、プラグインナーケース５０の溝５５（図３参照）には、切欠き４２ａ，４２ｂに対応した突起５６ａ，５６ｂおよびクリックアーム４３ａ，４３ｂに対応した溝５７ａ，５７ｂが設けられている。ロックリング４０は前後方向ＦＢに延びるプラグインナーケース５０を回転軸として回転する。ロックリング４０の回転角度は切欠き４２ａ，４２ｂおよび突起５６ａ，５６ｂによって、約３０度の範囲に規制されている。また、クリックアーム４３ａ，４３ｂが溝５７ａ，５７ｂに入り込むことで、クリック感を生じさせるとともに、ロックリング４０の位置が維持される。
【００２７】
図６は、図５に示すロックリングに、プラグアウターケースのカムピンが突当てられた状態を示す図である。図６（Ａ）にはロックリング４０の阻止位置の状態が示され、図６（Ｂ）には阻止解除位置の状態が示されている。
【００２８】
ロックリング４０は、プラグインナーケース５０に、図６（Ａ）に示す阻止位置と図６（Ｂ）に示す阻止解除位置の間で変位自在に保持されている。図６（Ａ）に示す阻止位置では、カムピン３５がカム面４５のうち前寄りの面４５ａに突当てられている。このことは、残りのカムピン３６〜３８とカム面４６〜４８との関係についても同様である。この場合には、プラグアウターケース３０が中立位置Ｎ（図２参照）で、ロックリング４０のカムピン３６〜３８がカム面４５〜４８に突当てられており、プラグアウターケース３０の後方Ｂへの移動が阻止されている。
【００２９】
ロックリング４０が、操作者の操作によって図７の矢印Ｒで示す向きに回されると、図６（Ｂ）に示す阻止解除位置の状態となる。図６（Ｂ）に示す阻止解除位置では、カムピン３５には、カム面４５のうち後よりの面４５ｃが対向する。このことは、残りのカムピン３６〜３８とカム面４６〜４８との関係についても同様である。阻止解除位置では、カム面４５〜４８がカムピン３５〜３８から離れる。したがって、プラグアウターケース３０の後方Ｂへの移動阻止が解除される。したがって、操作者の操作によってプラグアウターケース３０が、中立位置Ｎ（図２参照）からロックリング４０のカムピン３６〜３８がカム面４５〜４８に突当てられる離脱位置Ｍまで移動可能となる。
【００３０】
図８は、図１に示すプラグ型コネクタとリセプタクル型コネクタとの嵌合および離脱の過程を示す断面図である。図８（Ａ）から図８（Ｄ）には、プラグ型コネクタ１とリセプタクル型コネクタ２とが嵌合し、そして、離脱するまでの過程が順に示されている。
【００３１】
図８（Ａ）に示すプラグ型コネクタ１とリセプタクル型コネクタ２とが嵌合するときには、リセプタクル型コネクタ２のフード部２２が、内側の筒であるプラグインナーケース５０と外側の筒であるプラグアウターケース３０との間に形成された筒状の隙間に入り込む。なお、ロックリング４０は、プラグ型コネクタ１とリセプタクル型コネクタ２とが嵌合するとき、阻止位置（図６（Ａ））および阻止解除位置（図６（Ｂ））のいずれの位置であってもよい。プラグアウターケース３０は前方Ｆに押し出されており、ロックリング４０の位置に拘わらず中立位置Ｎ（図２参照）にある。
【００３２】
図８（Ｂ）に示すように、プラグインナーケース５０の前端部５１がフード部２２に挿入されると、係合腕５２，５３の前端部分５２ａ，５３ａがフード部２２の係止爪２２ａを乗り越え、図８（Ｃ）に示すように、フード部２２の係止爪２２ａと係合する。係合腕５２，５３が係止爪２２ａと係合することで、プラグ型コネクタ１がリセプタクル型コネクタ２から抜止めされる。図８（Ｃ）に示す状態に至ると、プラグ型コネクタ１とリセプタクル型コネクタ２とが嵌合したコネクタ組立体Ａ１が完成する。
【００３３】
図８（Ｃ）に示す嵌合状態で、ロックリング４０が阻止位置（図６（Ａ））にある場合、プラグアウターケース３０は離脱位置Ｍ（図２参照）への移動が阻止されるので、抜止めが確実となる。ロックリング４０が操作によって回転し阻止解除位置（図６（Ｂ））に変位すると、プラグアウターケース３０は後方Ｂに移動可能となる。プラグアウターケース３０が操作によって、図８（Ｄ）に示すように、後方Ｂに離脱位置Ｍまで移動すると、係合解除部３２，３３が係合腕５２，５３と干渉し、係合腕５２，５３と係止爪２２ａとの係合が解除する。図８（Ｃ）に示す状態で、プラグアウターケース３０が、操作によってさらに後方Ｂに引かれると、プラグ型コネクタ１がリセプタクル型コネクタ２から離脱する。
【００３４】
次に、本発明の第２実施形態について説明する。以下の第２実施形態の説明にあたっては、これまで説明してきた実施形態における各要素と同一の要素には同一の符号を付けて示し、前述の実施形態との相違点について説明する。
【００３５】
図９は、本発明の電気コネクタの第２実施形態であるプラグ型コネクタを示す斜視図であり、図１０は、図９に示すプラグ型コネクタを示す断面図である。
【００３６】
図９および図１０に示すプラグ型コネクタ２０１およびリセプタクル型コネクタ２０２は、互いに嵌合することによりコネクタ組立体を構成する。
【００３７】
プラグ型コネクタ２０１は、いわゆるロック付きのプッシュプル型であり、ジャック型コネクタ２０２に挿抜されるハウジングとしてのプラグインナーケース２５０と、プラグインナーケース２５０の外側に前後方向ＦＢに移動自在に設けられた筒状体としてのプラグアウターケース２３０と、プラグアウターケース３０の移動を阻止するための移動阻止部材としてのストッパ部２４０とを有している。ジャック型コネクタ２０２は、プラグ型コネクタ２０１のプラグインナーケース２５０が挿入されるフード部２２２を有している。フード部２２２の外壁には係止部としての係止溝２２２ａが形成されている。
【００３８】
プラグ型コネクタ２０１のプラグインナーケース２５０は概略筒状であり、筒状の前側である前端部２５１が、リセプタクル型コネクタ２０２のフード部２２２に挿入される。プラグインナーケース２５０には、前端部２５１の外側に沿って前方Ｆに延びた２つの係合腕２５２，２５３が設けられている。係合腕２５２，２５３のそれぞれの前端部分２５２ａ，２５３ａには、プラグ型コネクタ２０１とリセプタクル型コネクタ２０２とが互いに嵌合した状態でフード部２２２の係止溝２２２ａと係合する鉤が形成されている。係合腕２５２，２５３が係止溝２２２ａと係合することで、プラグ型コネクタ２０１が抜止めされる。
【００３９】
プラグアウターケース２３０は、プラグインナーケース２５０に対し前後方向ＦＢに移動自在に保持されている。プラグアウターケース２３０の前端には、内側に折れ曲がって後方Ｂに突出した２つの係合解除部２３２，２３３が形成されている。係合解除部２３２，２３３は、係合腕２５２，２５３の前端部分２５２ａ，２５３ａと接する位置に設けられている。
【００４０】
プラグアウターケース２３０の後方Ｂへの移動は、プラグアウターケース２３０よりも後方に設けられたストッパ部２４０によって規制されている。ストッパ部２４０は、プラグインナーケース２５０にヒンジ機構によって保持されており、倒れた状態からなる阻止位置と起こされた状態からなる阻止解除位置との間で変位する。なお、図９には、ストッパ部２４０がプラグインナーケース２５０に対し起こされた阻止解除位置の状態が示され、図１０には、ストッパ部２４０が倒れた阻止位置の状態が示されている。ストッパ部２４０が倒れた阻止位置の状態では、ストッパ部２４０がプラグアウターケース２３０に突き当たる。このため、プラグアウターケース２３０は後方Ｂへの移動が阻止される。
【００４１】
図１１は、図９に示すプラグ型コネクタがリセプタクル型コネクタと嵌合し、ストッパ部が阻止解除位置にある状態を示す斜視図であり、図１２は、図１１に示すプラグ型コネクタにおいてストッパ部が阻止位置にある状態を示す斜視図である。また、図１３は、図１２に示すプラグ型コネクタを示す断面図である。
【００４２】
図１１乃至図１３に示すように、プラグ型コネクタ２０１がリセプタクル型コネクタ２０２と嵌合した状態では、プラグインナーケース２５０の前端部２５１がフード部２２２に入り、係合腕２５２，２５３の前端部分２５２ａ，２５３ａがフード部２２２の係止溝２２２ａと係合している。係合腕２５２，２５３が係止溝２２２ａと係合することで、プラグ型コネクタ２０１が抜止めされる。図１１および図１２に示す状態で、プラグ型コネクタ２０１とリセプタクル型コネクタ２０２とが嵌合したコネクタ組立体Ａ２が完成している。
【００４３】
図１２および図１３に示すように、ストッパ部２４０が倒された阻止位置にあると、プラグアウターケース２３０は、外力が加えられても後方Ｂへの移動が阻止され、離脱位置Ｍ（図１０参照）に移動しない。したがってジャック型コネクタ２０２からのプラグ型コネクタ２０１の抜止めが確実となる。ストッパ部２４０が操作によって起こされ阻止解除位置（図１１）に変位すると、プラグアウターケース２３０が後方Ｂに移動可能となる。プラグアウターケース２３０が、操作によって後方Ｂに離脱位置Ｍ（図１０参照）まで移動すると、係合解除部２３２，２３３が係合腕２５２，２５３と干渉し、係合腕２５２，２５３を係止溝２２２ａとの係合が解除する。プラグアウターケース２３０が、操作によってさらに後方Ｂに引かれると、プラグ型コネクタ２０１がリセプタクル型コネクタ２０２から離脱する。
【００４４】
次に、本発明の第３実施形態について説明する。以下の第２実施形態の説明にあたっては、これまで説明してきた実施形態における各要素と同一の要素には同一の符号を付けて示し、前述の実施形態との相違点について説明する。
【００４５】
図１４は、本発明の電気コネクタの第３実施形態であるプラグ型コネクタを示す斜視図である。
【００４６】
図１４に示すプラグ型コネクタ３０１およびリセプタクル型コネクタ２０２は、互いに嵌合することによりコネクタ組立体となる。
【００４７】
プラグ型コネクタ３０１は、リセプタクル型コネクタ２０２に挿抜されるハウジングとしてのプラグインナーケース３５０と、プラグインナーケース３５０の外側に前後方向ＦＢに移動自在に設けられた筒状体としてのプラグアウターケース３３０と、プラグアウターケース３０の移動を阻止するための移動阻止部材としてのＵ字部材３４０とを有している。
【００４８】
プラグ型コネクタ３０１のプラグインナーケース３５０は、後端側の形状が六角形である点が第２実施形態のプラグインナーケース２５０と異なり、その他の点は、第２実施形態のプラグインナーケース２５０と同様である。なお、プラグインナーケースには、種々の形状を採用することができる。プラグアウターケース３３０は、後端に斜面を有するカム従動部３３９が形成されている点が第２実施形態のプラグインナーケース２５０と異なり、この他の点は、第２実施形態のプラグインナーケース２５０と同様である。
【００４９】
図１５は、図１４に示すプラグ型コネクタのＵ字部材３４０を示す模式図である。
【００５０】
Ｕ字部材３４０は、図１５に示すようにＵ字状の部材であり、一対のアーム３０４ａを有している。一対のアーム３０４ａにプラグインナーケース３５０が挟まれている。Ｕ字部材３４０は、挿入方向である前後方向ＦＢとは垂直な矢印で示す方向に移動する。一対のアーム３０４ａのそれぞれには、互いに対向する向きに突出した一対の突起３４０ｂが設けられている。Ｕ字部材３４０が移動するときには、突起３４０ｂがプラグインナーケース３５０を乗り越える。また、Ｕ字部材３４０は、図１４に示すようにＵプラグアウターケース２３０のカム従動部３３９に突き当たるカム面３４９を有している。
【００５１】
図１６は、図１４に示すプラグ型コネクタがリセプタクル型コネクタと嵌合し、ストッパ部が阻止解除位置にある状態を示す斜視図であり、図１７は、図１６に示すプラグ型コネクタにおいてストッパ部が阻止位置にある状態を示す斜視図である。
【００５２】
図１６および図１７に示すように、プラグ型コネクタ３０１がリセプタクル型コネクタ２０２と嵌合した状態ではプラグ型コネクタ３０１が抜止めされる。図１６および図１７に示す状態で、プラグ型コネクタ３０１とリセプタクル型コネクタ２０２とが嵌合したコネクタ組立体Ａ３が完成する。
【００５３】
図１７に示すように、Ｕ字部材３４０がプラグアウターケース３３０と同じ高さに押し込まれた阻止位置にあると、プラグアウターケース３３０のカム従動部３３９がＵ字部材３４０のカム面３４９に突き当てられた状態となる。このときプラグアウターケース２３０は外力が加えられても離脱位置に移動しないので、抜止めが確実となる。図１６に示すように、Ｕ字部材３４０が引き出されて阻止解除位置に移動すると、Ｕ字部材３４０のカム面３４９がカム従動部３３９から離れ、プラグアウターケース３３０が後方Ｂに移動可能となる。したがって、係合腕２５２，２５３（図１３参照）と係止溝２２２ａとの係合が解除する。プラグアウターケース３３０が、操作によってさらに後方Ｂに引かれると、プラグ型コネクタ３０１がリセプタクル型コネクタ２０２から離脱する。
【００５４】
なお、上述した実施形態では、本発明の電気コネクタとしてプラグ型コネクタの例で説明したが、本発明はこれに限られるものではなく、例えば、電気コネクタはリセプタクル型コネクタとして構成してもよい。
【図面の簡単な説明】
【００５５】
【図１】本発明の電気コネクタの第１実施形態であるプラグ型コネクタを示す斜視図である。
【図２】図１に示すプラグ型コネクタを示す断面図である。
【図３】図１に示すプラグ型コネクタの各部品を示す分解斜視図である。
【図４】図１に示すプラグアウターケースを後方から見た斜視図である。
【図５】図１に示すロックリングを前から見た図である。
【図６】図５に示すロックリングに、プラグアウターケースのカムピンが突当てられた状態を示す図である。
【図７】ロックリングが回される様子を説明する図である。
【図８】図１に示すプラグ型コネクタとリセプタクル型コネクタとの嵌合および離脱の過程を示す断面図である。
【図９】本発明の電気コネクタの第２実施形態であるプラグ型コネクタを示す斜視図である。
【図１０】図９に示すプラグ型コネクタを示す断面図である。
【図１１】図９に示すプラグ型コネクタがリセプタクル型コネクタと嵌合し、ストッパ部が阻止解除位置にある状態を示す斜視図
【図１２】図１１に示すプラグ型コネクタにおいてストッパ部が阻止位置にある状態を示す斜視図である。
【図１３】図１２に示すプラグ型コネクタを示す断面図である。
【図１４】本発明の電気コネクタの第３実施形態であるプラグ型コネクタを示す斜視図である。
【図１５】図１４に示すプラグ型コネクタのＵ字部材３４０を示す模式図である。
【図１６】図１４に示すプラグ型コネクタがリセプタクル型コネクタと嵌合し、ストッパ部が阻止解除位置にある状態を示す斜視図である。
【図１７】図１６に示すプラグ型コネクタにおいてストッパ部が阻止位置にある状態を示す斜視図である。
【符号の説明】
【００５６】
１，２０１，３０１    プラグ型コネクタ（電気コネクタ）
２，２０２    リセプタクル型コネクタ（相手コネクタ）
２２，２２２    フード部
２２ａ    係止爪（係止部）
３０，２３０，３３０    プラグアウターケース（筒状体）
３２，３３，２３２，２３３    係合解除部
３５，３６，３７，３８    カムピン
４０    ロックリング（移動阻止部材）
４５，４６，４７，４８    カム面
５０，２５０    プラグインナーケース
５１，２５１    前端部
５２，５３，２５２，２５３    係合腕
２４０    ストッパ部（移動阻止部材）
３４０    Ｕ字部材（移動阻止部材）
３４９    カム面
Ａ１，Ａ２，Ａ３    コネクタ組立体
【図１】
0004767923.tif 000002
【図２】
0004767923.tif 000003
【図３】
0004767923.tif 000004
【図４】
0004767923.tif 000005
【図５】
0004767923.tif 000006
【図６】
0004767923.tif 000007
【図７】
0004767923.tif 000008
【図８】
0004767923.tif 000009
【図９】
0004767923.tif 000010
【図１０】
0004767923.tif 000011
【図１１】
0004767923.tif 000012
【図１２】
0004767923.tif 000013
【図１３】
0004767923.tif 000014
【図１４】
0004767923.tif 000015
【図１５】
0004767923.tif 000016
【図１６】
0004767923.tif 000017
【図１７】
0004767923.tif 000018